(57)【要約】【課題】コンロ本体１の上面を覆う天板２に開設したバーナ用開口２２１に下流端部を臨ませた混合管３０と、バーナ用開口より大径で天板上に露出するバーナ本体３１とを有し、バーナ本体の下面中央部に突設した流入用筒部３２ａを混合管の下流端部に嵌合させて、混合管からバーナ本体に混合気を供給するように構成されたバーナ３を備えるガスコンロにおいて、バーナ本体の下面と天板との間の隙間を介してコンロ本体内に燃焼用一次空気を供給できるようにすると共に、バーナ本体の傾きも防止できるようにし、且つ、生産性も向上させる。【解決手段】天板２のバーナ用開口２２１の口縁部に、バーナ本体３１の傾きをバーナ本体３１の下面に当接して阻止する上方への突起部２２５を周方向の間隔を存して複数設ける。そして、これら突起部２２５，２２５間の間隔で構成される通気部２２７を介してコンロ本体１内に燃焼用一次空気を導入する。【選択図】図２
2006207973.tif 000002
【特許請求の範囲】
【請求項１】
ガスバーナを備えるガスコンロであって、ガスバーナは、コンロ本体の上面を覆う天板に開設したバーナ用開口に下流端部を臨ませた混合管と、バーナ用開口より大径で天板上に露出するバーナ本体とを有し、バーナ本体の下面中央部に突設した流入用筒部を混合管の下流端部に嵌合させて、混合管からバーナ本体に混合気を供給するように構成され、天板に、バーナ本体の下面との間の隙間を介してコンロ本体内に燃焼用一次空気を導入する通気部を形成するものにおいて、
天板のバーナ用開口の口縁部に、バーナ本体の傾きをバーナ本体の下面に当接して規制する上方への突起部が周方向の間隔を存して複数設けられ、これら突起部間の間隔で前記通気部が構成されていることを特徴とするガスコンロ。
【請求項２】
前記天板は、バーナ本体の配置部に合わせて開設されたバーナ本体より大径の開口部を有する天板本体と、この開口部に装着される汁受け皿とで構成され、汁受け皿に前記バーナ用開口が形成され、バーナ用開口の口縁部に上方に屈曲するバーリング部が形成され、このバーリング部の上端から前記各突起部が上方に一体に延出されていることを特徴とする請求項１記載のガスコンロ。
【発明の詳細な説明】
【技術分野】
【０００１】
本発明は、ガスバーナを有するガスコンロに関し、更に詳細には、ガスバーナのバーナ本体がコンロ本体の上面を覆う天板上に露出するガスコンロに関する。
【背景技術】
【０００２】
従来、天板に開設したバーナ用開口に下流端部を臨ませた混合管と、バーナ用開口より大径で天板上に露出するバーナ本体とを有し、バーナ本体の下面中央部に突設した流入用筒部を混合管の下流端部に嵌合させて、混合管からバーナ本体に混合気を供給するように構成されたガスバーナを備えるガスコンロは知られている。
【０００３】
また、このようなガスコンロをシステムキッチンのカウンタトップに落とし込むようにして配置するドロップイン式コンロに構成する場合、コンロ本体の周囲からコンロ本体内に十分に空気を供給できなくなる。そこで、天板に、バーナ本体の下面と天板との間の隙間を介してコンロ本体内に燃焼用一次空気を導入する通気部を形成したものも従来知られている(例えば、特許文献１参照)。このものでは、バーナ本体の下面に対向する天板の部分に透孔を形成して、透孔により通気部を構成している。尚、バーナ本体の下面と天板との間の隙間を介してコンロ本体内に燃焼用一次空気を導入するように通気部を形成するのは、煮こぼれ汁が通気部を通してコンロ本体内に落下するのを防止するためである。
【０００４】
ところで、上記バーナ本体は、混合管により流入用筒部を介して支持されている。然し、バーナ本体の脱着を容易にするため、流入用筒部を混合管の下流端部にきつく嵌合させることはできず、バーナ本体が傾き易くなる。この場合、バーナ本体の下面に天板に当接する突起を突設して、バーナ本体の傾きを阻止することが考えられる。然し、これでは、混合管に対する嵌合面となる流入用筒部の外周面の機械加工が突起に邪魔されて面倒になり、また、バーナ本体を鋳造する場合、突起が鋳肌のままであると突起の高さ精度を出せないため、突起の機械加工も必要になり、生産性が悪くなる。
【特許文献１】特開２００３−１４８７３５号公報(段落００２４、図１０)
【発明の開示】
【発明が解決しようとする課題】
【０００５】
本発明は、以上の点に鑑み、バーナ本体の下面と天板との間の隙間を介してコンロ本体内に燃焼用一次空気を供給できるようにすると共に、生産性を損なうことなくバーナ本体の傾きも防止できるようにしたガスコンロを提供することをその課題としている。
【課題を解決するための手段】
【０００６】
上記課題を解決するために、本発明は、ガスバーナを備えるガスコンロであって、ガスバーナは、コンロ本体の上面を覆う天板に開設したバーナ用開口に下流端部を臨ませた混合管と、バーナ用開口より大径で天板上に露出するバーナ本体とを有し、バーナ本体の下面中央部に突設した流入用筒部を混合管の下流端部に嵌合させて、混合管からバーナ本体に混合気を供給するように構成され、天板に、バーナ本体の下面との間の隙間を介してコンロ本体内に燃焼用一次空気を導入する通気部を形成するものにおいて、天板のバーナ用開口の口縁部に、バーナ本体の傾きをバーナ本体の下面に当接して阻止する上方への突起部が周方向の間隔を存して複数設けられ、これら突起部間の間隔で前記通気部が構成されていることを特徴とする。
【０００７】
本発明によれば、天板のバーナ用開口の口縁部に設けた突起部によりバーナ本体の傾きが規制される。そのため、バーナ本体の下面に傾き防止用の突起を突設する必要がなく、バーナ本体の流入用筒部の外周面の機械加工を突起に邪魔されることなく容易に行うことができ、更に、バーナ本体の下面に突起を突設する場合に必要になる鋳造後の突起の機械加工も不要になり、生産性が向上する。また、バーナ本体の下面と天板との間の隙間から突起部間の間隔で構成される通気部を介してコンロ本体内に燃焼用一次空気を供給できるため、ドロップイン式ガスコンロ等でコンロ本体内にその周囲から十分に空気を供給できなくても、一次空気不足による燃焼不良は生じない。
【０００８】
ところで、天板を、バーナ本体の配置部に合わせて開設されたバーナ本体より大径の開口部を有する天板本体と、この開口部に装着される汁受け皿とで構成し、汁受け皿にバーナ用開口を開設する場合、バーナ用開口から煮こぼれ汁がコンロ本体内に落下することを防止するため、バーナ用開口の口縁部に上方に屈曲するバーリング部を形成することが望まれる。そして、このバーリング部の上端から各突起部を上方に一体に延出しておけば、突起部の形成によるコストアップを回避でき、有利である。
【発明を実施するための最良の形態】
【０００９】
図１は、システムキッチンのカウンタトップに落とし込むようにして配置するドロップイン式のガスコンロを示している。このガスコンロは、コンロ本体１と、コンロ本体１の上面を覆う天板２と、左右２個のガスバーナ３，３とを備えている。また、天板２の上面前側には、２個のガスバーナ３，３用の２個の操作摘み４，４が配置されている。天板２上には、更に、２個のガスバーナ３，３に対応する２個の五徳５，５が載置されている。
【００１０】
各ガスバーナ３は、図２に示す如く、コンロ本体１内に固定した混合管３０と、天板２上に露出するバーナ本体３１とで構成されている。また、天板２は、バーナ本体３１の配置部に合わせて開設されたバーナ本体３１より大径の開口部２１１を有するガラス製または金属製の厚板で形成される天板本体２１と、この開口部２１１に装着される汁受け皿２２とで構成されており、汁受け皿２２の中央部にバーナ用開口２２１が開設されている。尚、汁受け皿２２は、天板本体２１の開口部２１１の口縁に装着したパッキン２１２上に外周縁部において載置されている。
【００１１】
混合管３０の下流端部は上方に屈曲してバーナ用開口２２１に臨んでいる。混合管３０の上流端には、図示省略したガスノズルが臨んでおり、ガスノズルからの燃料ガスの噴出によるエゼクタ効果で混合管３０に燃焼用一次空気が吸引され、混合管３０内で燃料ガスと一次空気とが混合されて混合気が生成される。
【００１２】
バーナ本体３１は、バーナ用開口２２１より大径の中空の円盤状のベース部３２と、ベース部３２の上面に周方向の間隔を存して立設した複数の中空の支柱部３３と、これら支柱部３３を介してベース部３２の上側に支持される中空環状のヘッド部３４とを備える。ベース部３２の下面中央部には、混合管３０の下流端部に嵌合する流入用筒部３２ａが垂設されており、この流入用筒部３２ａにおいてバーナ本体３１が混合管３０の下流端部に着脱自在に嵌合される。そして、混合管３０からの混合気がベース部３２の内部空間と支柱部３３の内部空間とを介してヘッド部３４の内部空間に供給される。
【００１３】
ヘッド部３４は、ベース部３２および支柱部３３と一体成形された下半部と、下半部に着脱自在に載置されるバーナキャップ３４ａから成る上半部とで構成されている。バーナキャップ３４ａの下面には、外周部と内周部とに位置させて、夫々多数の歯が垂設されている。かくして、ヘッド部３４に、バーナキャップ３４ａの外周部の各歯間の隙間で構成される外部炎孔３５と、バーナキャップ３４ａの内周部の各歯間の隙間で構成される内部炎孔３６とが設けられる。そして、ヘッド部３４の内部空間に供給された混合気が外部炎孔３５と内部炎孔３６から噴出して燃焼する。外部炎孔３５から噴出する混合気の燃焼部分にはバーナ本体３１の外方から燃焼用二次空気が供給され、また、内部炎孔３６から噴出する混合気の燃焼部分には、ベース部３２とヘッド部３４との間の各支柱部３３間の空隙で構成される空気通路３７を介してバーナ本体３１の外方から燃焼用二次空気が供給される。
【００１４】
また、図１及び図２を参照して、ガスバーナ３の周囲一側部には、点火電極３８と熱電対３９とが設けられている。点火電極３８と熱電対３９は、混合管３０の下流端側の外側面に形成した張出し部３０ａに固定されるブラケット３０ｂに取付けられ、汁受け皿２２に形成した各透孔２２２，２２３(図３参照)を通して汁受け皿２２上に突出している。また、汁受け皿２２には、ブラケット３０ｂに対応する部分に位置させて、上方に窪む、ブラケット３０ｂに対する逃げ部２２４が形成されている。
【００１５】
また、汁受け皿２２のバーナ用開口２２１の口縁部には、図３に明示されているように、上方への突起部２２５が周方向に間隔を存して複数形成されている。尚、バーナ用開口２２１の口縁部には、汁受け皿２２に落下した煮こぼれ汁がバーナ用開口２２１からコンロ本体１内に落下することを防止するため、上方に屈曲するバーリング部２２６が形成されている。そして、バーリング部２２６の上端から上記各突起部２２５が上方に一体に延出されている。これにより、突起部２２５をバーリング部２２６のプレス成形と同時に形成でき、突起部２２５を設けることによる加工コストの増加を回避できる。
【００１６】
各突起部２２５の上端は、バーナ本体３１の下面、即ち、ベース部３２の下面に僅かな隙間を存して対向している。ここで、バーナ本体３１は、混合管３０により流入用筒部３２ａを介して支持されているが、バーナ本体３１の脱着を容易にするため、流入用筒部３２ａを混合管３０の下流端部にきつく嵌合させることはできず、バーナ本体３１が傾き易くなる。然し、本実施形態では、バーナ本体３１が傾むこうとすると、ベース部３２の下面が突起部２２５に当接してバーナ本体３１の傾きが規制され、バーナ本体３１が安定に支持される。
【００１７】
このように、汁受け皿２２に設けた突起部２２５でバーナ本体３１の傾きが規制されるため、バーナ本体３１(ベース部３２)の下面に傾き防止用の突起を突設する必要がない。従って、バーナ本体３１の流入用筒部３２ａの外周面の機械加工を突起に邪魔されることなく容易に行うことができ、更に、バーナ本体の下面に突起を突設する場合に必要になる鋳造後の突起の機械加工も不要になり、生産性が向上する。
【００１８】
尚、汁受け皿２２に、ベース部３２の下面に常時当接するように突起部２２５を設けることも可能であるが、これでは、混合管３０の下流端部と突起部２２５との上下方向の位置公差により、流入用筒部３２ａが混合管３０の下流端部に完全に嵌合する前に突起部２２５がベース部３２の下面に当接して、それ以上流入用筒部３２ａを混合管３０の下流端部に嵌合できなくなる虞がある。従って、本実施形態の如く、ベース部３２の下面と突起部２２５の上端との間に僅かな隙間が空くように突起部２２５を形成することが望ましい。
【００１９】
また、ドロップイン式ガスコンロでは、コンロ本体１の周囲からコンロ本体１内に十分に空気を供給できず、このままでは、燃焼用一次空気が不足して燃焼不良を生ずる。ここで、本実施形態では、上記の如く突起部２２５が周方向の間隔を存して設けられているため、各突起部２２５，２２５間の間隔が、ベース部３２の下面と汁受け皿２２との間の隙間とコンロ本体１内とを連通する通気部２２７になる。従って、ベース部３２の下面と汁受け皿２２との間の隙間からこの通気部２２７を介してコンロ本体１内に燃焼用一次空気が供給され、一次空気不足による燃焼不良は生じない。
【００２０】
以上、天板本体２１と汁受け皿２２とで構成される天板２を備えるガスコンロについて説明したが、汁受け皿２２を省略し、天板本体２の開口部２１１をより小径にして、この開口部がバーナ用開口となるようにした１枚板構造の天板を用いるガスコンロにも同様に本発明を適用できる。この場合、バーナ用開口の口縁部に装着するパッキンに上記突起部２２５を一体に形成しても良い。また、上記実施形態では、ガスバーナ３のバーナ本体３１に外部炎孔３５と内部炎孔３６とを設けているが、これに限るものではく、例えば、外部炎孔のみを設けた中空円盤状のバーナ本体を有するガスバーナを用いることも可能である。また、上記実施形態はドロップイン式ガスコンロに本発明を適用したものであるが、卓上式ガスコンロであっても、コンロ本体の密閉性が高く、コンロ本体の周囲からコンロ本体内に十分に空気を供給できない場合には、同様に本発明を適用できる。
【図面の簡単な説明】
【００２１】
【図１】本発明の実施形態のガスコンロを示す斜視図。
【図２】図１のガスコンロの要部の切断側面図。
【図３】図１のガスコンロの汁受け皿の斜視図。
【符号の説明】
【００２２】
１…コンロ本体、２…天板、２１…天板本体、２１１…開口部、２２…汁受け皿、２２１…バーナ用開口、２２５…突起部、２２６…バーリング部、２２７…通気部、３…ガスバーナ、３０…混合管、３１バーナ本体、３２ａ…流入用筒部。
【図１】
2006207973.tif 000003
【図２】
2006207973.tif 000004
【図３】
2006207973.tif 000005